(57)【要約】  【課題】女性が使用しやすい椅子を提供する。  【手段】椅子は座３と背もたれ４とを備えている。背もたれ４は、着座した人の腰とその上下の部分とを支える第１サポート部４８と、その上方に連続した第２サポート部４９とから成っている。第１サポート部４８は縦断側面視において前向き凸状に湾曲している。第１サポート部４８の左右側部は、着座した人を左右両側から包むように前向きに突出したサイドガード部４８ａが形成されており、サイドガード部４８ａは側面視で丸みを帯びた山形に形成されている。第２サポート部４９は逆台形状に形成されている。サイドガード部４８ａの存在により、適度のホールド感を得ることができると共に、着座した人の腰下の肌が露出してもこれを隠すことができる。  【選択図】          図１
2006218048.tif 000002
【特許請求の範囲】
【請求項１】
座と背もたれと備えており、前記背もたれの縦断側面視形状を、上半身を起こして着座した人の腰が支持され得る前向き凸部を有する前向き凸状に湾曲した形状に形成しており、更に、前記背もたれはその裏側に配置された支持部材に取付けられている椅子であって、
前記背もたれは、前向き凸部を挟んだ上下両側に広がる第１サポート部と、この第１サポート部に連続して上方に延びる第２サポート部とから成っており、前記第１サポート部に、着座した人を左右両側から包むように前向きに突出したサイドガード部を形成している一方、
前記第２サポート部は、少なくとも上端部が平面視で略平坦状かそれに近い状態で前向き凹状に反った平断面形状に形成されていると共に、着座した人の肩部を安定的に支え得る横巾に設定されている、
椅子。
【請求項２】
前記背もたれにおける第１サポート部の左右サイドガード部は、側面視では丸みを帯びた前向き凸の山形で正面視では外向き凸状に緩く湾曲した形状になっている一方、背もたれの第２サポート部は正面視で上方に向けて左右横巾が広がる略逆台形状に形成されており、このため第２サポート部と第１サポート部との境界部は正面視で最も横巾が小さいくびれ部になっている、
請求項１に記載した椅子。
【請求項３】
前記背もたれにおける第１サポート部と第２サポート部との上下高さ寸法の比率は約２：３〜３：５であり、更に、前記第２サポート部の最大横巾寸法を第１サポート部の最大横巾寸法よりもやや小さい寸法に設定している、
請求項１又は２に記載した椅子。
【請求項４】
前記背もたれは合成樹脂製の背インナーシェルの前面にクッション体を張った構造であり、縦断側面視における湾曲の程度が小さくなるように弾性変形することが許容されている、
請求項１〜３のうちの何れかに記載した椅子。
【発明の詳細な説明】
【技術分野】
【０００１】
本願発明は、背もたれを備えている椅子に関するものである。
【背景技術】
【０００２】
例えば事務用回転椅子は、背もたれが後傾動するロッキングタイプが殆どである。背もたれの構造としては、フレームにネットを張ったものも出回ってはいるが、合成樹脂製の背インナーシェルの前面にクッション体を張ったものが主流であり、背インナーシェルはその後方に配置したバックフレーム（背支柱）やアウターシェル等の支持部材（バックサポート）に取付けていることが多い。
【０００３】
椅子の機能は人が腰掛けることであるが、椅子の使用態様は、背もたれを後傾させずに上半身を起こして例えばパソコン操作等の作業を行う作業態様と、背もたれを後傾させてリラックスする態様とに分け得ると言える（これは便宜的な分類であり、背もたれにもたれ掛かってパソコンやＣＡＤのマウスを操作するような場合もある。）。
【０００４】
着座した人が上半身を直立させた作業状態では、疲れの抑制等のため、背筋を伸ばして正しい姿勢を採ることが重要である。この場合、骨盤が不安定であると着座した人は猫背気味になりやすい。そこで、背もたれに、人の骨盤や腰椎を集中的に支持するランバーサポート機能を持たせることが行われている（例えば特許文献１参照）。
【０００５】
また、一般に、事務用回転椅子における背もたれの前面は人の上半身の背面のカーブに合わせて前向き凹状に反らせている。これに対して、特許文献２には、着座した人の脇腹のあたりを左右両側から包み込む形状の背もたれが開示されている。
【特許文献１】特許第３５５３３０１号公報
【特許文献２】意匠登録第１０８３７５８号公報
【発明の開示】
【発明が解決しようとする課題】
【０００６】
ところで、本願発明者たちが椅子の使用状態を観察したところ、男性と女性では椅子の使用の仕方に違いが見られることが分かった。
【０００７】
すなわち、男性が椅子を使用する場合は、背もたれの全体に背を当てていわば退け反るような姿勢で作業（例えばパソコン操作）を行ったり、例えば机に肘をついて作業を行ったりといった行儀の悪い姿勢を採ることに心理的な抵抗はないが、女性の場合、作業中では一貫して上半身を伸ばした姿勢を採ることが殆どであり、背もたれにもたれ掛かって退け反ったり、机に肩肘をついたりといった姿勢を採ることは殆どないと言える。従って、女性が椅子を使用する場合、上半身を伸ばした姿勢を楽に採れる機能が要請されていると言える。
【０００８】
しかして、従来、椅子との関係での女性に対する配慮としては、せいぜい寸法の小さい椅子を用意するといった程度のことしか成されておらず、心理面や動作面から見て女性が使いやすい機能を椅子に持たせるという着想は殆どなかったといえる。
【０００９】
また、女性用のズボンとして、腰口を臍のやや下方に位置させたローライズパンツと呼ばれるズボンがあり、このローライズパンツを穿いて椅子に腰掛けると、腰の側部の肌が露出する場合があるが（女性用のズボンは身体にフィットしていることから、着座すると生地が臀部の側に引き込まれる現象を生じて、肌が露出しやすくなる。）、従来の回転椅子の背もたれの平面形状は殆ど平坦に近い形状であるため、露出した肌が外部から見えやすかった。
【００１０】
この点については、特許文献２のように構成することによって肌の露顕を防止又は抑制できると言えるが、特許文献２の背もたれは下部も巾狭になっているため肌を的確に隠せない場合が生じる虞れがある。すなわち、腰下部分の露出肌を隠す目隠し効果が十分でない虞れがある。
【００１１】
また、特許文献２の背もたれのうちは上部は最大横巾の１／３程度の横巾寸法しかないため、着座した人が背もたれにもたれ掛かった状態で身体を横移動させると肩が背もたれから外れて安定性が悪くなる虞れがある。更に、背もたれの縦断側面視の形状は殆ど直線に近い形状であるため腰の支持機能が弱く、背筋を伸ばした姿勢を採るための機能が低いう点も問題であった。
【００１２】
本願発明はこのような現状を改善すべくなされたもので、女性に好適な椅子を提供することを課題とするものである。
【課題を解決するための手段】
【００１３】
請求項１の発明に係る椅子は、座と背もたれと備えており、前記背もたれの縦断側面視形状を、上半身を起こして着座した人の腰が支持され得る前向き凸部を有する前向き凸状に湾曲した形状に形成しており、更に、前記背もたれはその裏側に配置された支持部材に取付けられている。
【００１４】
そして、前記背もたれは、前向き凸部を挟んだ上下両側に広がる第１サポート部と、この第１サポート部に連続して上方に延びる第２サポート部とから成っており、前記第１サポート部に、着座した人を左右両側から包むように前向きに突出したサイドガード部を形成している一方、前記第２サポート部は、少なくとも上端部が平面視で略平坦状かそれに近い状態で前向き凹状に反った平断面形状に形成されていると共に、着座した人の肩部を安定的に支え得る横巾に設定されている。
【００１５】
請求項２の発明に係る椅子は、請求項１において、前記背もたれにおける第１サポート部の左右サイドガード部は、側面視では丸みを帯びた前向き凸の山形で正面視では外向き凸状に緩く湾曲した形状になっている一方、背もたれの第２サポート部は正面視で上方に向けて左右横巾が広がる略逆台形状に形成されており、このため第２サポート部と第１サポート部との境界部は正面視で最も横巾が小さいくびれ部になっている。
【００１６】
請求項３の発明に係る椅子は、請求項１又は２において、前記背もたれにおける第１サポート部と第２サポート部との上下高さ寸法の比率は約２：３〜３：５であり、更に、前記第２サポート部の最大横巾寸法を第１サポート部の最大横巾寸法よりもやや小さい寸法に設定している。更に、請求項４の発明は、請求項１〜３のうちのいずれかにおいて、前記背もたれは合成樹脂製の背インナーシェルの前面にクッション体を張った構造であり、縦断側面視における湾曲の程度が小さくなるように弾性変形することが許容されている。
【発明の効果】
【００１７】
本願発明によると、着座した人が事務等の作業を行うにおいては、背もたれの前向き凸部に腰椎を当てることにより、上半身の重心を骨盤の真上に保持して、背筋を伸ばした正しい姿勢を楽に維持し続けることができる。
【００１８】
更に述べると、着座した人の腰椎が背もたれの前向き突部で押されることにより、人の上半身は前向きに突き出され気味になって胸を上に上げて上半身を反らせる傾向を呈し、その結果、頭も起き勝手になって頭の重心が頸椎の真上に位置する状態になる。このため、背筋を伸ばした美しい姿勢で長時間にわたって使用し続けることができるのであり、従って、女性に特に好適である。この場合、前向き凸部を着座者の腰椎の上部に当たる高さ位置に設定しておくと、着座した人の上半身を突き出す作用が的確に発揮されてより好適である。
【００１９】
また、第１サポート部にサイドガード部を設けたことにより、人に対するホールド性が高くなって身体の安定性が高くなるが、この場合、サイドガード部は第１サポート部のみに設けているため、使用者が圧迫感を受けることはなく、また、着座した人が肩を回すといった動作も支障無く行える。更に、第２サポート部は平坦に近いため、人の肩や背中を安定よくサポートすることができる。更に、サイドガード部は側面視で山形であるため着座・離席に際してサイドガード部が邪魔になることはない。
【００２０】
このように、本願発明の椅子は、着座した人が上半身を起こして事務等の作業を行うに際して、背筋を伸ばした見た目にも美しい姿勢を採り続けることをバックアップできるのみならず、使用者の身体に対する適度のホールド感と使用者の動作の自由性とを兼備しており、このため、女性の要望に応えた画期的な椅子であると言える。
【００２１】
また、第１サポート部のサイドガード部によって腰下のあたりを隠すことができるため、椅子の使用者がローライズパンツを穿いていて腰下のあたりの肌が露出していても、肌を外部から見られることを防止又は著しく抑制することができ、この面からも女性の要望に応えていると言える。
【００２２】
更に、第２サイドガード部は着座した人の背中を安定的に支持できる横巾であるため、着座した人が肩を左右にずらしたりねじったりしても背中が背もたれから外れることはなく、従って、使用者の上半身に対する高い支持安定性を確保できる。
【００２３】
ところで、人の胴体の標準的な体形は、ウエストから肩に向けて左右横巾が大きくなっている。そして、請求項２のように構成すると、背もたれは全体として人の標準的な胴体の体形に類似した正面形状になっており、このため、上半身が背もたれから左右に落ち込むような現象は生ぜず、上半身を安定的にサポートし得る。また、くびれ部の存在により、人は上半身をねじったり離着席したりといった動作を採りやすい。従って請求項２によると、上半身の的確なサポート機能を保持しつつ、人の動作の自由性もより向上できる。
【００２４】
サイドガード部は着座した人の腰に加えて臀部まで覆うことも可能であるが、あまり人を覆う面積が大きいと体裁が悪くなる虞れがある。この点、請求項２のようにサイドガード部を側面視で前向き凸の山形に形成すると、適度のホールド性と目隠し機能とを保持しつつ体裁を良くできる利点がある。
【００２５】
腰の横巾に対する肩巾の比率は男性に比べて女性の方が小さくなる傾向を呈している。従って、請求項３のように第２サポート部の最大巾寸法が第１サポート部の最大巾寸法より多少小さくても、肩や背中の支持機能には支障はない。また、第２サポート部が第１サポート部よりも巾狭であることによって椅子にほっそり感が付与されて、女性らしいデザインになっていると言える。
【００２６】
背もたれが後傾動するロッキングタイプの椅子の場合、ロッキング時においても背もたれの前向き凸部のプロフィールに変化がないと、人の腰が過度に突き上げられて人に不快感を与える虞れがあるが、請求項４のように構成すると、背もたれは、その後傾動に連動して前向き凸部の湾曲の程度が小さくなるように構成とすることが可能になる。従って、ロッキングタイプの椅子として特に好適である。
【発明を実施するための最良の形態】
【００２７】
次に、本願発明の実施形態を図面に基づいて説明する。
【００２８】
(1).椅子の概略
まず、図１〜図８に基づいて椅子の概略を説明する。図１は使用者を一点鎖線で表示した椅子の正面図、図２は右側面図、図３のうち（Ａ）は平面図、（Ｂ）〜（Ｅ）は図１のＢ−Ｂ、Ｃ−Ｃ、Ｄ−Ｄ、Ｅ−Ｅ線で切断した背もたれの表面のプロフィールを示す図、図４は右側から見た部分的な分離側面図、図５は背面図、図６は図４のVI−VI視平面図、図７は図６の VII-VII視断面図、図８は図６のVIII−VIII視断面図である。
【００２９】
椅子（回転椅子）は、脚１と、脚１の上端に取り付けたベース体２と、その上方に配置した座３と、座３の後方に配置した背もたれ４とを備えている。脚１は、ガスシリンダからなる脚柱５と、脚柱５から放射状に延びる枝足６とを備えており、各枝足６の先端にはキャスター７を設けている。
【００３０】
図７及び図８に示すように、ベース体２は上向きに開口した箱状に形成されている。座３は、前後の座シェル板８，９とそれらの上面に一連に延びるように張ったクッション体とを備えている。詳細な説明は省略するが、図３から推測できるように、前後座シェル板８，９はその左右端部に形成した軸受け部１０に軸１１を挿通することによって連結されており、従って、座３の前部（前部座シェル板８の部分）は軸１１の箇所を中心にして前向きに倒すことが可能である。
【００３１】
座３の後部シェル板９の下面には、ベース体２に上方から被さる形状の第１中間金具１２が固定されており、また、前部座シェル板８の下方には、第１中間金具１２に上方から被さる形状の第２中間金具１３が配置されている。第１中間金具１２の前端部と第２中間金具１３の後端部とは、左右長手の第１支軸１４によってベース体２の前部に連結されている。第１支軸１４を挿通するためにベース体２に形成したガイド穴１５は側面視で傾斜状に延びる長穴になっており、従って、第１軸１４はガイド穴１５に沿って略前後方向にスライドし得る。
【００３２】
第２中間金具１３は座３の前部を支持するためのものであり、その前端部に左右長手のロッド１６を設ける一方、前部座シェル板８の下面には、ロッド１６が係脱する凹凸状の係止部材１７を設けている。係止部材１７の凹所に対するロッド１６の嵌合位置を変えることにより、座３の前部の側面視姿勢を変えることができる。
【００３３】
背もたれ４は、ベース体２に後傾動自在に連結した傾動フレーム２０と、第１中間金具１２に固着した補助フレーム２１とを介して取付けられている。この実施形態では、傾動フレーム２０と補助フレーム２１とが協働して請求項１に記載した支持部材（バックサポート）を構成している。両フレーム２０，２１はそれぞれ２本ずつの丸パイプから成っており、左右の補助フレーム２１の間に傾動フレーム２０が配置されている（勿論、逆の配置でも良い。）。
【００３４】
図６及び図８に示すように、ベース体２の内部のうち後部には、第１支軸１４と平行に延びる第２支軸２２が配置されており、第１支軸１４と第２支軸２２との間には、ばね手段の一例としての第１〜第３のコイルばね２３，２４，２５が並列配置されている。各コイルばね２３，２４，２５は、第１支軸１４に被嵌した前ばね受け２６と、第２支軸２２に嵌め込まれた後部ばね受け２７とで支持されている。
【００３５】
また、第２支軸２２は、第１コイルばね２３を支持する後部ばね受け２７と専用の軸受け２８とで後退動不能に保持されており、第１コイルばね２３を支持する後部ばね受け２７と専用の軸受け２８とに、前記傾動フレーム２０が第３支軸２９によって後傾動自在に連結されている。言うまでもないが、傾動フレーム２０はベース体２に直接に取付けても良いし、また、第２支軸２２を傾動フレーム２０の連結に兼用することも可能である。
【００３６】
第２支軸２２にはロック切り換えレバー３０を取付けている。詳細は省略するが、ロック切り換えレバー３０を操作して第２支軸２２を回転操作することにより、背もたれ４の後傾動に対する弾力（弾性抵抗）を調節できる。
【００３７】
図８に示すように、ベース体２の内部には補強板３１が溶接によって固着されている。また、脚柱５（ガスシリンダ）の上端部は、ベース体２に固着した筒体３２に嵌着しており、ベース体の２の内部には、脚柱５のプッシュバルブ３３をプッシュ操作するための押圧装置３５を設けている。図２に簡単に示すように、後部座シェル板９の側部下面には、前記押圧装置３５を操作するためのレバー３６を設けている。
【００３８】
(2).背もたれの形態の特徴
次に、従前の図に加えて図９及び図１６も参照して背もたれ４の形態について説明する。図９は背もたれ４の縦断右側面図、図１６は着座した人の椎骨と背もたれとの関係を示す図である。背もたれ４は、合成樹脂製の背インナーシェル４３の前面にクッション体４４を張った構造であり、また、背もたれ荷重が掛かっていない自由状態で全体として後傾した側面姿勢になっている。
【００３９】
また、図９に示すように、背もたれ４は、縦断側面視で前向き凸状に湾曲しており、従って、着座した人の上半身の一部に集中的に当接し得る前向き凸部４５を備えている。そして、図１６は背もたれ４を線で表示している図であるが、この図から明らかなように、背もたれ４の前向き凸部４５は、着座した人４６の腰椎４７が当たる高さになっている。
【００４０】
腰椎４７は５個の椎骨で構成されているが、本実施形態では、非ロッキング状態において、前向き凸部４５は、着座した人４６の腰椎４７のうち第３腰椎４７ａのあたりかそれよりも上方の部分に主に当たる高さ位置に設定されている。
【００４１】
もちろん、身長によって着座した人４６の腰椎４７の高さには個人差があるが、平均的な身長の人を基準にして高さ位置を設定しておけば、多少の身長の違いがあっても、概ね腰椎４７の上部あたりを前向き凸部４５で押すことができる。具体的には、成人女性向け椅子の場合、座面（座３の左右中間部の上面）から前向き凸部４５の最先端までの高さＨは１９０〜２５０ｍｍに設定するのが好ましい。
【００４２】
図１や図５に示すように、前向き凸部４５を挟んだ上下両側に広がる第１サポート部４８と、この第１サポート部４８に連続して上方に延びる第２サポート部４９とから成っており、第１サポート部４８に、着座した人を左右両側から包むように前向きに突出した側面視山形で丸みを帯びたサイドガード部４８ａが形成されている。サイドガード部４８ａは、正面視で左右外向き凸状に緩い曲率で湾曲した形状になっている。サイドガード部４８ａは前向き凸部４５の高さ位置において最も外向き及び前向きに張り出している。
【００４３】
一方、第２サポート部４９は、正面視で上方に向けて左右横巾が広がる略逆台形状に形成されており、このため、両サポート部４８，４９の境界部はくびれ部５０になっている。女性用椅子の場合、背もたれ４の全高は約５００ｍｍ程度でよい。また、第１サポート部４８と第２サポート部４９の比率は、３：２〜５：３程度が好適である。
【００４４】
第２サポート部４９は第１サポート部４８と滑らかに連続しており、従って、第２サポート部４９の下端の平断面形状は前向き凹状に緩く反っている。そして、反り（湾曲）の程度は上方に行くに従って小さくなっており、上端では平面視で殆ど平坦状に形成されている（図３（Ｂ）（Ｃ）参照）。第２サポート部４８の上端は着座した人４６の肩部を安定的に支え得る横巾（女性用の場合であると、例えば３７０ｍｍ程度かそれ以上）に設定されている。
【００４５】
第１サポート部４８の正面視における最大巾寸法Ｗ１（図１参照）は４００〜４５０ｍｍが好ましく、くびれ部５０の巾寸法Ｗ２は３００〜３５０ｍｍ程度が好ましい。従って、正面視におけるくびれ部５０からサイドガード部４８ａの左右外向き最大張り出し寸法は５０ｍｍ（４０〜６０ｍｍ）程度あるのが好ましい。
【００４６】
第２サポート部４９の最大巾寸法は座３及び第１サポート部４８の最大横巾Ｗ１よりもやや小さい寸法になっている。サイドガード部４８ａの前向き突出寸法、すなわち、側面視において前向き凸部４５の頂点部からサイドガード部４８ａの頂点部までの前後寸法Ｌは６０ｍｍ〜１００ｍｍ程度が好適であった。この寸法が小さいとホールド感や目隠し効果が低くなり、逆に大き過ぎると圧迫感を与えると共に作業等の邪魔になる。
【００４７】
なお、第１サポート部４８は平面視で前向き凹状に湾曲しているが、図３（Ｅ）に示すように、横巾が最大の部位において最も曲率が大きくて、それから上下に離れるに従って平面視での湾曲の程度は緩くなっている。
【００４８】
背もたれ４の最大巾寸法は座３の最大巾寸法よりもやや小さいが、これは、ウエストに比べて臀部の横巾が大きい場合が多いという女性の体形に合わせたものである。勿論、第１サポート部４８及び第２サポート部４９の最大横巾を座３の最大横巾と略同じ程度に設定しても良い。
【００４９】
(3).背もたれの取付け構造
次に、既述の図に加えて図１０以下の図面も参照して背もたれ４の取付け構造を説明する。図１０のうち（Ａ）は一部を省略した背面図、（Ｂ）は要部の一部破断背面図、図１１は図１０（Ａ）のXI−XI視断面図、図１２は図１０（Ｂ）のXII-XII 視断面図、図１３は図１０（Ｂ）のXIII−XIII視断面図、図１４のうち（Ａ）は図１０（Ａ）のXIVA-XIVA 視断面図、（Ｂ）は図３のXIVB-XIVB 視断面図、図１５は背インナーシェルの部分的な正面図、図１７及び図１８は作用を示す図である。
【００５０】
既述した傾動フレーム２０は背もたれ４の背後の近くまで延びており、この左右傾動フレーム２０の上端に、前向きに開口した平断面略Ｃ字状の第１ガイド部材５２を溶接等によって固着している。第１ガイド部材５２は、非ロッキング状態において、側面視で背インナーシェル４３の下部の傾斜面と略平行な姿勢に設定されている。
【００５１】
他方、左右の補助フレーム２１は、２本の傾動フレーム２０の左右両側面に密接した状態で背もたれ４の背面に沿って上方に延びており、例えば図１３に示すように、補助フレーム２１と第１ガイド部材５２とは、ボルト（ビス）で代用されている左右長手の第４軸５３によって相対回動可能に連結されている。
【００５２】
従って、両フレーム２０，２１とは一体に傾動する。補助フレーム２１と第１ガイド部材５２との間には樹脂製のカラー５４が介在しており、また、補助フレーム２１の外面にも樹脂製のワッシャー５５を配置している。言うまでもないが、左右の第４軸５３は同心に配置されている。
【００５３】
左右補助フレーム２１の上部は互いの間隔が広がるように曲げられており、左右補助フレーム２１の上端はこれらに溶接したステー５６を介して一体に連結されている。図１４（Ａ）に示すよう、ステー５６の左右両端部はビス５７及びナット５８によって背インナーシェル４３に固定されている。従って、背インナーシェル４３の上端部はステー５６によって前後離反不能及び上下作用にずれ不能に保持されている。
【００５４】
なお、ビスを背インナーシェル４３にねじ込んでも良いし、スナップ係合等の他の手段で背インナーシェル４３をステー５６又は補助フレーム２１に取付けても良い。補助フレーム２１及び傾動フレーム２０は、その裏側に配置した合成樹脂のカバー５９で覆われている。また、図１４（Ｂ）に示すように、カバー５９は、その上端部に形成した前向き片を前記ステー５６にビス５９′で締結されている。勿論、ビスを使用しない取付け方法も採用可能である。
【００５５】
例えば図１１及び図１３に示すように、背インナーシェル４３の裏面の下部には、第１ガイド部材５２の内部に入り込む上下長手の第２ガイド部材６０がビス６１で固定されている。第２ガイド部材６０は外向き開口のコ字状の平断面形状であり（勿論、他の形状でも良い）、その左右両側面に、第１ガイド部材５２の内部に転動自在に当接する上下２対（３対以上でもよい）のコロ６２を取付けている。
【００５６】
従って、両フレーム２０，２１の姿勢に関係なく、第１ガイド部材５２と第２ガイド部材６０との側面視での相対的な姿勢は変化しない。換言すると、背インナーシェル４３のうち第２ガイド部材６０が固定されている下部と第１ガイド体５２との相対的な側面視姿勢は常に一定になっている。
【００５７】
図１５に示すように、背インナーシェル４３のうち第１サポート部４８の上半部には、当該上半部の曲げ強度を弱くする弱化手段の１つとしてスリット６７の群を形成している。このため、第１サポート部４８の上半部は平面視で前向き凹状でありながら、縦断側面視おいて伸びるように容易に変形する。
【００５８】
(4).まとめ
既述のように、非ロッキング状態において椅子に深く腰掛けた使用者は、腰椎４７がクッション体４４を介して背インナーシェル４３の前向き凸部４５で突き出される作用を受ける。このため、使用者４６は自然に胸を起こして背筋を伸ばした姿勢となり、かつ、頭も起き勝手になる。このため、上半身は立った時のように重心が安定し、その結果、使用者は長時間正しい姿勢を保持し続けのみならず、他人には行儀正しく美しく見える。
【００５９】
また、第１サポート部４８にサイドガード部４８ａを設けたことにより、人４６は背もたれ４に包み込まれたような状態になって、背もたれ４のフィット性が向上できる。また、ローライズパンツを穿いた女性が着座して左右腰下の部分の肌が露出しても、露出した肌は左右サイドガード部４８ａが隠れるため、他人にに見られることを防止できる。
【００６０】
また、背もたれ４の全体が平面視で前向き凹状に湾曲している訳ではなく、第１サポート部４８は脇腹を中心にした部分のみに存在しているに過ぎず、かつ、第１サポート部４８は側面視で前向き凸状の山形であるため、着座した人が背を左右に移動させたりねじったりする動作を採ることには支障はなく、使用者に圧迫感を与えることはない。かつ、離着席に際してサイドガード部４８ａが邪魔になることもない。つまり、サイドガード部４８ａを側面視山形に形成したことにより、人に対するフィット性と動作の自由性とを同時に達成できるのである。
【００６１】
着座した人４６が背もたれ４にもたれ掛かると、図１７に模式的に示すように、傾動フレーム２０が後傾するとことに連動して、座３と補助フレーム２１とは一緒に後傾しつつ後退動する。そして、傾動フレーム２０が後傾動すると第１ガイド部材５２の側面視での姿勢は直立姿勢に近づいてゆき、これに伴って、第２ガイド部材６０と背インナーシェル４３の下部との側面姿勢も第１ガイド部材５２と同じになる。
【００６２】
他方、背インナーシェル４３の上部は補助フレーム２１の上端に固定されているため、背インナーシェル４３（背もたれ４）は縦断側面視での曲がりの程度が小さくなるように伸び変形する。従って、背インナーシェル４３（背もたれ４）は、ロッキングし切った状態では図１８のようにかなりフラットに近い側段断面形状になる。この場合、背インナーシェル４３における第１サポート部４８の略上半部がスリット６７によって変形し易くなっているため、背インナーシェル４３はスムースに伸び変形する。
【００６３】
女性用の椅子の場合、背もたれ４が無負荷の初期状態からロッキングし切るまでの傾動角度は１０度以下が好ましく、特に６〜８度が好適であった。これは、女性は腹筋が弱くて身体を大きく起こしにくいことに起因している。
【００６４】
既に説明したように、ロッド１６と係合部材１７との嵌合位置変えることにより、座３の前部の側面姿勢を変化させることができる。ロッド１６の位置の軌跡を図１９に示している。座３の前部の側面姿勢変更は、例えば図２に符号７２で示すレバー装置によって行われる。
【００６５】
本実施形態では、座３の前面は平面視で前向き凹状に緩く湾曲して（反って）いる。このため、女性は無意識に左右両足を閉じる（揃える）傾向があり、このため、行儀良く上品な姿勢を自然に取ることができる。また、座３の前面が平面視で前向き凹状に反っていると、身長の低い人でも膝裏を座３の前面に当てることなく深く腰掛けることができる。
【００６６】
座３の前部を前倒しできる構成にすると、身長がより低い人でも座３に深く腰掛けることができ、また、使用者が大腿部に圧迫感を受けることや大腿部にむくみが生じることの防止又は軽減できる。更に、上半身を乗り出すようにして腰掛ける「チョイ掛け」の姿勢を違和感なく取ることができる利点がある。
【００６７】
(5).その他
本願発明は上記の実施形態の他にも様々に具体化することができる。例えば、背インナーシェルにクッション体を張らずに、背インナーシェルに人の上半身を直接に当てることも可能である。更に、本願発明はロッキング椅子に限らず、背もたれが後傾しない椅子（例えば会議用のパイプ椅子）にも適用できる。
【００６８】
サイドガード部のうち着座した人の腰よりも上方の部分は、圧迫感の防止や離着席に際しての邪魔になることを防止するため、第２サポート部に向けて前向き及び横向き突出寸法が小さくなる略傾斜状（或いは湾曲状）に形成するのが好ましいが、腰よりも下方の部分は正面及び側面視で略鉛直状に延びる形態でも良い。
【図面の簡単な説明】
【００６９】
【図１】実施形態に係る椅子の正面図である。
【図２】左側面図である。
【図３】(A)は椅子の平面図、 (B)〜(E) はは図１の B-B線、 C-C線、 D-D線、 E-Eで切断した背もたれの表面のプロフィールを示す図である。
【図４】分側面図である。
【図５】背面図である。
【図６】図４のVI−VI視平面図である。
【図７】図６の VII-VII視断面図である。
【図８】図６のVIII−VIII視断面図である。
【図９】背もたれの縦断右側面図である。
【図１０】(A)は一部省略背面図、 (B)は要部の一部破断背面図である。
【図１１】図１０ (A)のXI−XI視断面図である。
【図１２】図１０（Ｂ）のXII-XII 視断面図である。
【図１３】図１０（Ｂ）のXIII−XIII視断面図である。
【図１４】(A)は図１０（Ａ）のXIVA-XIVA 視断面図、（Ｂ）は図３のXIVB-XIVB 視断面図である。
【図１５】背用インナーシェルの部分的な正面図である。
【図１６】着座した人の椎骨と背もたれとの関係を示す図である。
【図１７】動きを示す図である。
【図１８】(A)はロッキング状態での側断面、 (B)は背もたれと椎骨との関係を示す図である。
【図１９】座の前部の一部破断側面図である。
【符号の説明】
【００７０】
１  脚
２  ベース体
３  座
４  背もたれ
８，９  座のシェル板
４３  背インナーシェル
４５  前向き凸部
４４  クッション体
４８  第１サポート部
４９  第２サポート部
５０  くびれ部
【図１】
2006218048.tif 000003
【図２】
2006218048.tif 000004
【図３】
2006218048.tif 000005
【図４】
2006218048.tif 000006
【図５】
2006218048.tif 000007
【図６】
2006218048.tif 000008
【図７】
2006218048.tif 000009
【図８】
2006218048.tif 000010
【図９】
2006218048.tif 000011
【図１０】
2006218048.tif 000012
【図１１】
2006218048.tif 000013
【図１２】
2006218048.tif 000014
【図１３】
2006218048.tif 000015
【図１４】
2006218048.tif 000016
【図１５】
2006218048.tif 000017
【図１６】
2006218048.tif 000018
【図１７】
2006218048.tif 000019
【図１８】
2006218048.tif 000020
【図１９】
2006218048.tif 000021